(57)【特許請求の範囲】
【請求項１】
前面に開口部を有するラック本体の内部に、複数の棚板が上下方向に間隔をおいて水平に設けられるとともに、棚板間の前面開口部を介して、棚板に対する物品の出し入れを行うようにしたラックの収納物落下防止装置であって、
前記ラック本体の前面開口部における両側縁に、上下方向に沿って設けられる一対のレールと、
前記一対のレールにスライド自在に取り付けられる一対の側枠間に、複数の落下防止バーが、前記複数の棚板にそれぞれ対応して架け渡されてなり、各落下防止バーが、対応する棚板の略前方に配置される下降位置と、対応する棚板よりも上方の前面開口部に配置される上昇位置との間でスライド自在に配置される落下防止枠と、
前記落下防止枠を上方に向けて付勢し、かつ前記ラック本体の天壁中央に設けられる付勢手段と、
前記付勢手段の付勢力を前記落下防止枠に伝達するための動力伝達機構と、
前記付勢手段の付勢力に抗して、前記落下防止枠を下降位置に保持するためのロック手段と、
振動の感知によって前記ロック手段のロックを解除し、前記落下防止枠を前記付勢手段の付勢力により上昇させて、各落下防止バーを、対応する棚板よりも上方の前面開口部に配置させるロック解除手段とを備え、
前記動力伝達機構は、
前記天壁の前端縁にラック幅方向に沿って配置され、かつ回転自在に取り付けられる回転軸と、
前記落下防止枠の両側枠の上端に固定される連結部材とを有し、
前記ロック手段のロックが解除された際に、前記付勢手段の付勢力によって前記回転軸が回転し、この回転によって、前記連結部材が持ち上げられて、前記落下防止枠が上方に持ち上げられるよう構成されるラックの収納物落下防止装置。
【請求項２】
前記落下防止枠における前記落下防止バーの前記側枠に対する取付位置を、側枠長さ方向に沿って自在に変更し得るよう構成されてなる請求項１記載のラックの収納物落下防止装置。
【請求項３】
前記落下防止枠を上昇させた状態において、その落下防止枠を前記付勢手段の付勢力に抗して下降操作することにより、前記落下防止枠が前記ロック手段により自動的にロックされて下降位置に保持されるよう構成されてなる請求項１又は２記載のラックの収納物落下防止装置。
【発明の詳細な説明】
【０００１】
【発明の属する技術分野】
この発明は、例えば移動ラック等に好適に採用され、地震発生時等に棚板上に載置された書物等の収納物が落下するのを防止するためのラックの収納物落下防止装置に関する。
【０００２】
【従来の技術とその課題】
大型書架用等の移動ラックにおいては、地震発生時に、棚板間の前面開口部に自動的に水平バー（落下防止バー）が出現して、棚板上の書物等が落下するのを防止するようにした自動式の収納物落下防止装置を装備させたものがある。
【０００３】
例えば特開平９−１７３１７０号に開示される収納物落下防止装置は、棚板間の前部に昇降自在に落下防止バーが配置されるとともに、その落下防止バーが係合支持機構により上昇位置で係合支持されている。更に地震の感知によって係合支持機構の係合を解除する感震手段が設けられており、地震による振動が感知されると、感震手段により係合支持機構の落下防止バーへの係合が解除されて、落下防止バーが自重により降下して、棚板間の前面開口部に配置されるよう構成されている。
【０００４】
しかしながら、この収納物落下防止装置は、ラックの各棚板ごとに、落下防止バー、係合支持機構及び感震手段等の装置構成部材をそれぞれ組み付ける必要があり、部品点数が増大して、組付が面倒になるばかりか、構造の複雑化及びコストの増大を来すという問題があった。
【０００５】
一方、特開平１１−１９６９６４号に開示される収納物落下防止装置は、ラック本体の前面開口部における両側縁に沿って上下方向に一対のレールが設けられる一方、一対の連結バー間に複数の落下防止バーが架け渡された略梯子形状の落下防止枠が、その両側の連結バーが上記一対のレールにそれぞれスライド自在に取り付けられている。更に落下防止枠を所定の上昇位置に保持するための係止装置と、振動を感知して係止装置の落下防止枠への係止を解除する感震装置とを備えている。そして、地震発生により振動が感知されると、係止装置による落下防止枠の係止が解除されて、落下防止枠が自重により所定位置まで降下し、各落下防止バーが棚板間の前面開口部にそれぞれ配置されるよう構成されている。
【０００６】
この収納物落下防止装置は、複数の落下防止バーが連結バーにより連結された落下防止枠の動作制御を一つの感震装置により行うものであるため、部品点数の削減により、組付を簡単に行えるとともに、構造の簡素化及びコストの削減を図ることができる。
【０００７】
しかしながら、この収納物落下防止装置は、落下防止枠を自重により降下させるものであるため、以下に説明するように、動作信頼性に劣るという問題を抱えている。すなわち、落下防止バーは、通常状態において、収納物の出し入れに支障を来さないように、あるいは美観が低下しないように、棚板の前方位置に配置される。その一方、地震発生時に、棚板間の収納物の落下を確実に防止するためには、落下防止バーを棚板間の上下方向中間位置よりも低い位置に配置するのが好ましい。このため、所定の棚板上の収納物の落下を防止するための落下防止バーは、通常状態においては、所定の棚板に対し一段上の棚板の前方に配置されており、作動時には、一段上の棚板前方に配置された落下防止バーが、所定の棚板の上方位置まで降下するよう構成している。このように落下防止バーを上側の棚板位置から下側の棚板位置近傍までの長い距離をスライドさせる必要があり、落下防止枠のスライド量が長くなって、動作信頼性に劣るという問題が発生する。
【０００８】
またラックに組み付ける複数の棚板は、上下方向に必ずしも同じ間隔に配置するものではなく、段ごとに異なる間隔に配置することがある。しかしながら、上記従来の収納物落下防止装置は、複数の落下防止バーが連結されているため、間隔の広い棚板間の上側に配置される落下防止バーと、間隔の狭い棚板間の上側に配置される落下防止バーとは、作動時のスライド量が共に等しくなっている。このため、作動時において、間隔の広い棚板間には落下防止バーが最適位置よりも高い位置に配置されたり、あるいは間隔の狭い棚板間には落下防止バーが最適位置よりも低い位置に配置されることがある。このように棚板の取付間隔によっては、地震発生時に落下防止バーを最適位置に配置させることができず、収納物の落下を確実に防止できない恐れがあった。
【０００９】
この発明は、上記従来技術の問題を解消し、ラック本体への組付を簡単に行えるとともに、構造の簡素化及びコストの削減を図ることができる上、落下防止枠の動作信頼性に優れ、更に棚板の取付間隔等にかかわらず、作動時に落下防止バーを常に最適位置に配置することができて、収納物の落下を確実に防止することができるラックの収納物落下防止装置を提供することを目的とする。
【００１０】
【課題を解決するための手段】
上記目的を達成するため、この発明は、前面に開口部を有するラック本体の内部に、複数の棚板が上下方向に間隔をおいて水平に設けられるとともに、棚板間の前面開口部を介して、棚板に対する物品の出し入れを行うようにしたラックの収納物落下防止装置であって、前記ラック本体の前面開口部における両側縁に、上下方向に沿って設けられる一対のレールと、前記一対のレールにスライド自在に取り付けられる一対の側枠間に、複数の落下防止バーが、前記複数の棚板にそれぞれ対応して架け渡されてなり、各落下防止バーが、対応する棚板の略前方に配置される下降位置と、対応する棚板よりも上方の前面開口部に配置される上昇位置との間でスライド自在に配置される落下防止枠と、前記落下防止枠を上方に向けて付勢する付勢手段と、前記付勢手段の付勢力に抗して、前記落下防止枠を下降位置に保持するためのロック手段と、振動の感知によって前記ロック手段のロックを解除し、前記落下防止枠を前記付勢手段の付勢力により上昇させて、各落下防止バーを、対応する棚板よりも上方の前面開口部に配置させるロック解除手段とを備えるものを要旨としている。
【００１１】
この発明のラックの収納物落下防止装置においては、複数の落下防止バーを一度に制御するものであるため、各棚板ごとにロック解除装置や感震装置等を組み付ける場合と比較して、部品点数を削減することができる。
【００１２】
また、所定の棚板前方に配置した落下防止バーを上昇させて、所定の棚板上における収納物の落下を防止するものであるため、例えば所定の棚板よりも一段上の棚板前方に配置した落下防止バーを降下させて、所定の棚板上における収納物の落下を防止するよう構成する場合よりも、落下防止バーのストローク量を少なくすることができる。すなわち、所定の棚板上における収納物の落下を防止する場合、落下防止バーを、所定の棚板と一段上の棚板と間の高さ方向中間位置よりも低い位置に設定するのが最適である。このため、本発明のように、落下防止バーを、所定の棚板前方位置から最適位置まで上昇させる方が、落下防止バーを一段上の棚板前方位置から最適位置まで降下させる場合よりもストローク量を少なくすることができる。
【００１３】
また本発明においては、落下防止枠を上昇させて、棚上における収納物の落下を防止するものであるため、棚板の設置間隔が一定でない場合でも、地震発生時に、各落下防止バーを最適位置に配置することができる。すなわち、複数の落下防止バーが連結されるものにおいて、上段の棚板前方に配置した落下防止バーを降下させて、上段の棚板と下段の棚板との間に配置するよう構成した場合、各棚板間の間隔が異なっていると、地震発生等の作動時に、全ての落下防止バーを各棚板間の最適位置に配置できず、収納物の落下を確実に防止するのが困難となる恐れがある。これに対し、本発明においては、各棚板の前方位置に落下防止バーが配置された落下防止枠を上昇させるものであるため、地震発生時に、全ての落下防止バーを、対応する棚板上方の最適位置に配置することができる。
【００１４】
一方、本発明においては、前記落下防止枠における前記落下防止バーの前記側枠に対する取付位置を、側枠長さ方向に沿って自在に変更し得るよう構成されてなるものを採用するのが好ましい。
【００１５】
すなわちこの場合には、落下防止バーの取付高さを、ラック本体の棚板の高さに合わせて、容易に調整することができる。
【００１６】
また本発明においては、前記落下防止枠を上昇させた状態において、その落下防止枠を前記付勢手段の付勢力に抗して下降操作することにより、前記落下防止枠が前記ロック手段により自動的にロックされて下降位置に保持されるよう構成されてなるものを採用するのが望ましい。
【００１７】
すなわちこの場合、地震により落下防止枠が上昇した後において、例えば適当な落下防止バーを手で持って落下防止枠を下降操作するだけで簡単に、元の状態に復帰させることができる。
【００１８】
【発明の実施の形態】
図１はこの発明の実施形態である収納物落下防止装置が適用された移動ラック装置を示す斜視図、図２及び図３はその移動ラック（１）を示す斜視図である。これらの図に示すように、この移動ラック装置は、固定ラック（５）と、複数の移動ラック（１）とを有し、移動ラック（１）が、床面に敷設されたレール（２）に沿って移動自在に構成されており、移動ラック（１）を適宜移動させて、所望の移動ラック（１）に対し書物等の出し入れを行うことにより、省スペースかつ高い収納率を得ることができるものである。
【００１９】
なお、本実施形態の各移動ラック（１）は、収納物を前面側のみならず、後面側からも収納し得る、いわゆる両面収納タイプのものであり、その前後両面に後述する落下防止枠（２０）等の落下防止装置がそれぞれ取り付けられるものであるが、前後の落下防止装置は、実質的に同一の構成であるため、以下の説明においては、ラック（１）の前面側の構成についてのみ説明し、重複説明は省略する。
【００２０】
移動ラック（１）は、ラック本体（１０）を具備しており、このラック本体（１０）は、天壁（１１）と、底壁（１２）と、これらの両壁（１１）（１２）間の両側前後に、上下方向に沿って配置される４本の支柱（１３）とを有している。
【００２１】
更に、両側前後の支柱（１３）の外側面には、側板（１４）（１４）がそれぞれ固定されるとともに、各支柱（１３）の内側面側には、棚取付孔（図示省略）が上下方向に沿って所定の間隔おきにそれぞれ形成されており、これらの棚取付孔を介して、複数の棚板（１５）を、所望の高さ位置に水平状態に取り付けることができるよう構成されている。
【００２２】
このラック本体（１０）に組み付けられる収納物落下防止装置は、ラック本体（１０）の前面開口部に設けられる落下防止枠（２０）と、ラック本体（１０）の両側前部支柱（１３）に設けられ、落下防止枠（２０）を上下方向にスライド自在に支持する一対のレール（３０）と、落下防止枠（２０）の上昇動作を制御するロック解除装置（５０）と、ロック解除装置（５０）からの動力を落下防止枠（２０）に伝達するための動力伝達機構（４０）とを基本的な構成として備えている。
【００２３】
図２ないし図５、図９に示すように、レール（３０）は、リップ溝型形状のものであり、リップ間のスロット（３１）を内側に向けて配置するようにして、ラック本体（１０）の両側前方における支柱（１３）の内面側にそれぞれ固定されている。
【００２４】
落下防止枠（２０）は、左右一対の側枠（２１）と、側枠（２１）間に側枠長さ方向に間隔をおいて架け渡すように取り付けられる複数の落下防止バー（２２）とにより構成された梯子型の形状を有している。
【００２５】
側枠（２１）は、コ字型形状を有しており、そのウェブに複数のバー取付孔（２１ａ）が長さ方向に所定の間隔おきに形成されるとともに、そのバー取付孔（２１ａ）に落下防止バー（２２）の端部が嵌入されることによって、落下防止バー（２２）が側枠（２１）に固定されている。
【００２６】
なお、落下防止バー（２２）は、嵌入するバー取付孔（２１ａ）を変更することによって、側枠（２１）に対し所望の位置に取り付けることができるよう構成されている。
【００２７】
この落下防止枠（２０）の落下防止バー（２２）が、上記ラック本体（１０）の左右の一対のレール（３０）におけるスロット（３１）に挿通配置されるようにして、左右の側枠（２１）が、左右のレール（３０）にそれぞれスライド自在に挿入される。こうして落下防止枠（２０）が、ラック本体（１０）の前面開口部に沿って上下方向にスライドし得るよう構成されている。
【００２８】
一方図４ないし図６に示すように、ラック本体（１０）の天壁（１１）は、下面が開放された箱形形状のものであって、内部中央に前後方向に沿って溝型の天部中央フレーム（５１）が下向き開放状態に固定されている。
【００２９】
図６及び図８に示すように、天部中央フレーム（５１）の前部には、軸挿通孔（５２）が形成されるとともに、その軸挿通孔（５２）に対応して、天壁（１１）の天板には、揺動体収容孔（１１ａ）が形成される。更に天部中央フレーム（５１）の上面における上記軸挿通孔（５２）に対応する位置には、座板（５５）が取り付けられる。
【００３０】
天部中央フレーム（５１）に配置されるロック解除装置（５０）には、感震部としての揺動体（６０）が設けられる。揺動体（６０）は、下端面（６１ａ）が半球形状に形成された錘体（６１）と、錘体（６１）の下端に、軸心に沿って下方に突出するように固定される連結軸（６２）と、連結軸（６２）の下端に、軸心を一致させるようにして水平状態に設けられる円板状の係合板（６３）とを具備している。
【００３１】
また、天部中央フレーム（５１）のウェブ下面における上記揺動体（６０）の取付位置よりも後方には、コ字型の揺動アーム取付片（７１）が固定されるとともに、その揺動アーム取付片（７１）の両側片には、溝型形状の揺動アーム（７０）の後部が支持軸（７１ａ）を介して回転自在に取り付けられる。更に揺動アーム（７０）のウェブ前部には、上記揺動体（６０）の連結軸（６２）に対応して、軸挿通孔（７２）が形成されるとともに、図８に示すように揺動アーム（７０）における両側フランジの下縁端部には、係合片（７３）が設けられている。
この係合片（７３）は、前端縁が後述のスライド板（８０）を係合可能な係合段部（７３ａ）として構成されるとともに、後縁がテーパ部（７３ｂ）として構成されている。
【００３２】
そして、上記揺動体（６０）の連結軸（６２）が、上記座板（５５）の中央孔、天部中央フレーム（５１）の軸挿通孔（５２）、及び揺動アーム（７０）の軸挿通孔（７２）に、それぞれに遊びを有する状態に挿通配置されて、錘体（６１）が天部中央フレーム（５１）の上側に配置されるとともに、係合板（６３）が揺動アーム（７０）の下側（コ字溝内）に配置される。これにより図８（ｂ）に示すように、揺動体（６０）が連結軸（６２）を中心として周囲四方向の全ての方向に揺動自在に構成される。更に、その揺動に伴って、揺動体（６０）の係合板（６３）が揺動アーム（７０）の軸挿通孔（７２）周縁部に係止して、揺動アーム（７０）が後部軸支持部を支点に上方へ揺動するよう構成されている。
【００３３】
なお、揺動体（６０）の錘体（６１）は、その揺動を妨げない態様に、天壁（１１）の上記揺動体収容孔（１１ａ）内に収容配置されている。また、図示は省略するが、天壁（１１）の揺動体収容孔（１１ａ）上面には、揺動体（６０）を隠蔽するようにカバー部材が取り付けられる。
【００３４】
図５及び図６に示すように、天部中央フレーム（５１）の両側フランジにおける上記揺動アーム（７０）に対応する位置には、前後方向に延びる長孔（５５）が形成されており、この長孔（５５）に、スライド板（８０）の両側端部がスライド自在に挿入されて、スライド板（８０）が揺動アーム（７０）の下面に沿って前後方向にスライド自在に構成される。
【００３５】
またスライド板（８０）の両側部には、引張コイルばね（８１）の前端が固定されるとともに、そのばね（８１）の後端が天部中央フレーム（５１）の両側フランジに固定されている。そして図６（ａ）に示すように、スライド板（８０）を、引張コイルばね（８１）の付勢力に抗して前方に引っ張って、上記揺動アーム（７０）の係合片（７３）における係合段部（７３ａ）に係合した状態（通常状態）において、上記したように揺動体（６０）が揺動して揺動アーム（７０）が上方へ持ち上がると、同図（ｂ）に示すように係合片（７３）のスライド板（８０）に対する係合が解除されて、スライド板（８０）が引張コイルばね（８１）の付勢力により後方にスライド移動するよう構成されている。更にその状態からスライド板（８０）を引張コイルばね（８１）の付勢力に抗して前方に引っ張ると、スライド板（８０）の前端縁が、係合片（７３）のテーパ部（７３ｂ）に沿って案内されて、揺動アーム（７０）が上方へ持ち上がり、スライド板（８０）が係合片（７３）を超えたところで、揺動アーム（７０）が自重により下方に揺動して、スライド板（８０）が係合片（７３）の係合段部（７３ａ）に自動的にロックされて、図６（ａ）に示す通常状態に復帰するよう構成される。更に揺動アーム（７０）が下方に揺動した際には、揺動アーム（７０）の軸挿通孔周縁部によって揺動体（６０）の係合板（６３）が水平状態となるように押え込まれることにより、図８（ａ）に示すように揺動体（６０）が垂直姿勢に自動的に復帰するよう構成されている。
【００３６】
一方、引張コイルばね（８１）の付勢力を上記落下防止枠（２０）に伝達するための動力伝達機構（４０）において、天壁（１１）内における前端縁には、ラック幅方向に沿う回転軸（４１）が、取付片（９１）を介して回転自在に取り付けられる。
【００３７】
またロック解除装置（５０）のスライド板（８０）の前部両側には、略前方へ延びる連結部材（４２）が固定されるとともに、その連結部材（４２）の前端には、上下方向に長い長孔（４２ａ）が形成されている。この長孔（４２ａ）には、クランクメンバ（４３）の一端が、回転自在にかつ長孔（４２ａ）に沿って上下方向にスライド自在に取り付けられるとともに、クランクメンバ（４３）の他端が上記回転軸（４１）に固定されている。
【００３８】
また図７に示すように、上記落下防止枠（２０）における側枠（２１）の上端には、上方へ延びる連結部材（４４）の下端が固定されて、その連結部材（４４）の上側部がレール（３０）の上端よりも上方に配置される。更に連結部材（４４）の上端部には、ラック前後方向に延びる長孔（４４ａ）が形成されている。
この長孔（４４ａ）には、クランクメンバ（４５）の一端が、回転自在にかつ長孔（４４ａ）に沿って前後方向にスライド自在に取り付けられるとともに、クランクメンバ（４５）の他端が上記回転軸（４１）に固定されている。
【００３９】
なお、図４及び図５等においては、動力伝達機構（４０）の片側半部のみを示しているが、残り半部においても、上記と同様に、ロック解除装置（５０）と側枠（２１）とが動力伝達可能に連結されている。
【００４０】
そして、ロック解除装置（５０）のスライド板（８０）が、上記したように、前方位置から後方へスライドした際には、図６（ａ）（ｂ）に示すように、クランクメンバ（４３）の一端が、連結部材（４２）の長孔（４２ａ）内をスライドしながら後方に移動し、これによりクランクメンバ（４３）と共に回転軸（４１）が、同図紙面に向かって反時計方向に回転する。更にこの回転に伴って、図７（ａ）（ｂ）に示すように、クランクメンバ（４５）が同図紙面に向かって反時計方向に回転して、クランクメンバ（４５）の一端が連結部材（４４）の長孔（４４ａ）内を移動しながら上方に持ち上げられ、これにより連結部材（４４）と共に落下防止枠（２０）が、図３に示すように上方に持ち上げられるよう構成されている。
【００４１】
なお既述したように、本実施形態の移動ラック（１）は、前面側のみならず、後面側にも物品を収納し得る両面収納タイプのものであり、落下防止枠（２０）等の上記落下防止装置は、ラック前面側のみならず、後面側にも組み付けられている。もっとも、本発明においては、落下防止装置を、片面収納タイプのラックに組み付けるようにしても良く、両面収納タイプのラックの片面側のみに組み付けるようにしても良い。
【００４２】
本実施形態の移動ラック（１）は、以上のように構成されており、通常状態においては、ロック解除装置（５０）のスライド板（８０）が前方に配置されるように、揺動アーム（７０）の係合片（７３）に係合されるとともに、揺動体（６０）が垂直状態に保持されている。更に落下防止枠（２０）において、落下防止バー（２２）は、ラック本体（１０）における各棚板（１５）の前方位置にそれぞれ配置されるように側枠（２１）に取り付けられている。なお、本実施形態においては、落下防止枠（２０）の側板（２１）に形成されるバー取付孔（２１ａ）のピッチを、ラック本体（１０）の支柱（１３）に形成される棚取付孔（図示省略）のピッチに対応させて形成している。このため、落下防止枠（２０）の落下防止バー（２２）を、各棚板（１５）の位置に合わせて位置精度良く取り付けることができる。
【００４３】
上記通常状態において、地震発生によりラック本体（１０）が振動すると、上記したように、各棚板（１５）の前方に配置されていた落下防止枠（２０）の落下防止バー（２２）がそれぞれ所定量上昇して、図３に示すように棚板間の前面開口部に配置されて、各棚板（１５）上に配置された書物等の収納物の落下が防止される。
【００４４】
一方、落下防止枠（２０）が上昇した落下防止状態から通常状態に復帰させる場合には、落下防止枠（２０）を、その適当な落下防止バー（２２）を手で持って下方に引き下げれば良い。これにより動力伝達機構（４０）におけるクランクメンバ（４３）（４５）及び回転軸（４１）等が上記と逆方向に回転し、上記したように、ロック解除装置（５０）におけるスライド板（８０）が揺動アーム（７０）の係合片（７３）に自動的に係合して、通常状態に復帰する。
【００４５】
以上のように、本実施形態の移動ラック（１）によれば、複数の落下防止バー（２２）が連結された落下防止枠（２０）の上昇動作を、一つのロック解除装置（５０）により制御するものであるため、各棚板ごとにロック解除装置や感震装置等を組み付ける場合と比較して、部品点数を削減でき、組立を簡単に行えるとともに、構造の簡素化及びコストの削減を図ることができる。
【００４６】
また、本実施形態の移動ラック（１）においては、所定の棚板（１５）前方に配置した落下防止バー（２２）を上昇させて、所定の棚板（１５）上における収納物の落下を防止するものであるため、例えば所定の棚板（１５）よりも一段上の棚板（１５）前方に配置した落下防止バー（２２）を降下させて、所定の棚板（１５）上における収納物の落下を防止するよう構成する場合よりも、落下防止バー（２２）のストローク量を少なくすることができるので、動作信頼性が高く、高い品質を得ることができる。
【００４７】
更に本実施形態においては、ロック解除装置（５０）の引張コイルばね（８１）の付勢力を落下防止枠（２０）に伝達する機構（４０）として、回転軸（４１）やクランクメンバ（４３）（４５）からなるクランク機構（リンク機構）を用いているため、地震発生時には、確実に落下防止枠（２０）を上昇させることができ、より一層高い動作信頼性を得ることができる。もっとも、本発明においては、動力伝達機構（４０）として、上記以外の機構、例えばワイヤー等により落下防止枠を吊り上げるような方式を用いるようにしても良い。
【００４８】
また本実施形態の移動ラック（１）においては、落下防止枠（２０）を上昇させて、棚板上における収納物の落下を防止するものであるため、棚板（１５）の設置間隔が一定でない場合でも、地震発生時に、各落下防止バー（２２）を最適位置に配置することができ、収納物の落下をより確実に防止することができる。
【００４９】
また本実施形態において、ロック解除装置（５０）の感震部としての揺動体（６０）は、錘体（６１）の下端面（６１ａ）を半球形状に形成して、その下端面（６１ａ）を設置面としているため、揺動体（６０）がどのような方向に揺動しようとも、半球状下端面（６１ａ）が、座板（５５）の座面に無理なく当接設置される。従って、揺動体（６０）によってあらゆる方向の地震を的確に検知でき、収納物の落下をより確実に防止することができる。
【００５０】
なお、上記実施形態においては、本発明の収納物落下防止装置を移動ラックに適用した場合について説明したが、本発明はそれだけに限られず、移動ラック装置における固定ラックや、据え置き型のラックにも適用することができる。
【００５１】
また、本発明は、落下防止枠（２０）を上昇させるための付勢手段としては、上記のコイルばね（８１）だけに限られず、どのような付勢手段を用いても良い。例えば、電気信号に基づいて進退駆動が制御される電磁ソレノイド等の付勢手段を用いるようにしても良い。
【００５２】
【発明の効果】
以上のように、この発明のラックの収納物落下防止装置によれば、複数の落下防止バーが連結された落下防止枠を一度に制御するものであるため、各棚板ごとにロック解除手段等を組み付ける場合と比較して、部品点数を削減でき、組立を簡単に行えるとともに、構造の簡素化及びコストの削減を図ることができる。また、所定の棚板前方に配置した落下防止バーを上昇させて、所定の棚板上における収納物の落下を防止するものであるため、例えば所定の棚板よりも一段上の棚板前方に配置した落下防止バーを降下させて、所定の棚板上における収納物の落下を防止するよう構成する場合よりも、落下防止バーのストローク量を少なくでき、動作信頼性を向上させることができる。更に棚板の設置間隔が一定でない場合でも、地震発生時に、各落下防止バーを最適位置に配置でき、収納物の落下を確実に防止することができるという効果がある。
【００５３】
また、本発明において、落下防止バーの側枠に対する取付位置を自在に変更し得るよう構成する場合には、落下防止バーの取付高さを、ラック本体の棚板の高さに合わせて、簡単かつ正確に調整することができるという利点がある。
【００５４】
また本発明においては、落下防止枠を付勢手段の付勢力に抗して下降操作することにより、落下防止枠が下降位置で自動的に保持されるよう構成する場合、地震により落下防止枠が上昇した後において、例えば適当な落下防止バーを手で持って落下防止枠を下降操作するだけで、元の状態に簡単に復帰させることができ、操作性をより一層向上させることができるという利点がある。
【図面の簡単な説明】
【図１】移動ラック装置を示す斜視図である。
【図２】この発明の実施形態である収納物落下防止装置が適用された移動ラックを落下防止枠降下状態で示す斜視図である。
【図３】実施形態の移動ラックを落下防止枠上昇状態で示す斜視図である。
【図４】実施形態の移動ラックにおける天井壁部分の正面断面図である。
【図５】実施形態の移動ラックにおける天井壁部分の水平断面図である。
【図６】図４のVI−VI線断面図であって、同図（ａ）は落下防止枠降下状態で示す断面図、同図（ｂ）は落下防止枠上昇状態で示す断面図である。
【図７】図４のVII-VII 線断面図であって、同図（ａ）は落下防止枠降下状態で示す断面図、同図（ｂ）は落下防止枠上昇状態で示す断面図である。
【図８】実施形態の落下防止装置におけるロック解除装置の感震部周辺を示す断面図であって、同図（ａ）は通常状態で示す断面図、同図（ｂ）は揺動状態で示す断面図である。
【図９】実施形態の落下防止装置における落下防止枠の側枠をレールから取り外した状態で示す要部斜視図である。
【符号の説明】
１０…ラック本体
１５…棚板
２０…落下防止枠
２１…側枠
２２…落下防止バー
３０…レール
５０…ロック解除装置
８１…引張コイルばね（付勢手段）
【図１】
0004540825.tif 000002
【図２】
0004540825.tif 000003
【図３】
0004540825.tif 000004
【図４】
0004540825.tif 000005
【図５】
0004540825.tif 000006
【図６】
0004540825.tif 000007
【図７】
0004540825.tif 000008
【図８】
0004540825.tif 000009
【図９】
0004540825.tif 000010